(57)【特許請求の範囲】
【請求項１】
工作機械を囲むカバーの開口部に設けられたスライドドアであって、
該スライドドアは、
戸枠と、
該戸枠に対して前記工作機械の内側に、少なくとも２段の戸板とを備え、
前記戸枠は戸枠案内軌道を備え、
前記戸板のうち、少なくとも隣接する２段の戸板の、前記戸枠に近い側の戸板が戸板案内軌道を備え、
前記戸板のうち、前記戸枠と隣接する戸板は少なくとも１つの摺動部材を備え、前記摺動部材で前記戸枠案内軌道と摺動し、
前記戸板のうち、前記戸枠と隣接しない戸板は、該戸板の下端に、少なくとも２つの摺動部材を備え、
前記戸枠と隣接しない戸板が下端に備える少なくとも２つの摺動部材のうち、少なくとも１つの摺動部材は前記戸枠案内軌道と摺動し、他の少なくとも１つの摺動部材は前記戸板案内軌道と摺動し、
前記２つの戸板をガイドするための部材の摺動部の高さ方向の摺動範囲が重なることを特徴とするスライドドア。
【請求項２】
前記戸枠案内軌道が、単一の軌道で複数の戸板の摺動部材をガイドすることを特徴とする請求項１記載のスライドドア。
【請求項３】
前記戸枠案内軌道と摺動する摺動部材が戸板の開口部側端に取り付けられたことを特徴とする請求項１または２に記載のスライドドア。
【発明の詳細な説明】
【技術分野】
【０００１】
本発明は、スライドドアに関し、特に工作機械のスライドドア、詳細にはスライドドアにおけるガイド構造に関する。
【背景技術】
【０００２】
工作機械においては、ワークを載置して加工を行う加工空間を有している。ここで、ワークを加工する際には、ワーク自体の保護と、加工の際に飛散する切粉やクーラントの周囲への飛散を防止するためにカバーを設けることがある。
図１は、工作機械全体の斜視図を示している。工作機械の内部は図示しないワークが載置可能な加工空間が設けられており、工作機械の側面はカバー５０で覆われている。また、正面側にはワークなどの加工物の出し入れ等のため、スライド式の第１ドア１０及び第２ドア２０が設けられている。この工作機械においては、大型のワークに対応するために、２段式のスライドドアで構成されている。
【０００３】
特許文献１には、工作機械において、２枚のスライドドアを有し、１枚目のドアの下に取り付けられたガイドレールで、２枚目のドアをガイドする技術が開示されている。
特許文献２には、工作機械において、２枚のスライドドアを有し、２枚のドアの中央に配置されたレールで両方のドアをガイドする技術が開示されている。
【先行技術文献】
【特許文献】
【０００４】
【特許文献１】特許第４５３４７７４号公報
【特許文献２】実開昭６２−１２７７４５号公報
【発明の概要】
【発明が解決しようとする課題】
【０００５】
特許文献１に開示されている技術は、１枚目のドアのガイドの下に２枚目のドアのガイドが存在するため、ドアの開口部の下端部から下方にドアが大きく張り出すことがあり、そのため、工作機械の可動カバーやサドルなどの機構部の設置スペースと干渉して、ドアの開口幅を広くすることができなくなるおそれがあった。
特許文献２に開示されている技術は、２枚のドアの中央に配置されたレールで両方のドアをガイドしているため、ドアどうしの干渉が起こったり、ドア全体の厚みが厚くなってしまうおそれがあった。
【０００６】
そこで本発明は、ドアの開口幅を広く取ることができる工作機械のスライドドアを提供することを目的とする。
【課題を解決するための手段】
【０００７】
本願の請求項１に係る発明では、工作機械を囲むカバーの開口部に設けられたスライドドアであって、該スライドドアは、戸枠と、該戸枠に対して前記工作機械の内側に、少なくとも２段の戸板とを備え、前記戸枠は戸枠案内軌道を備え、前記戸板のうち、少なくとも隣接する２段の戸板の、前記戸枠に近い側の戸板が戸板案内軌道を備え、前記戸板のうち、前記戸枠と隣接する戸板は少なくとも１つの摺動部材を備え、前記摺動部材で前記戸枠案内軌道と摺動し、前記戸板のうち、前記戸枠と隣接しない戸板は、該戸板の下端に、少なくとも２つの摺動部材を備え、前記戸枠と隣接しない戸板が下端に備える少なくとも２つの摺動部材のうち、少なくとも１つの摺動部材は前記戸枠案内軌道と摺動し、他の少なくとも１つの摺動部材は前記戸板案内軌道と摺動し、前記２つの戸板をガイドするための部材の摺動部の高さ方向の摺動範囲が重なることを特徴とするスライドドアが提供される。
【０００８】
請求項１に係る発明によれば、戸枠から遠い側の戸板の下端に備える摺動部材のうちの少なくとも１つの摺動部材を、戸枠案内軌道ではなく戸板案内軌道と摺動させるようにし、かつ２つの戸板をガイドするための部材の摺動部の高さ方向の摺動範囲が重なるような構成としているため、戸枠から遠い側の戸板が備える摺動部材を、いずれも戸枠案内軌道に摺動させることによって上下方向に張り出すことが防止され、ガイドを設置するのに必要な上下方向のスペースを小さくすることが可能となる。
【０００９】
本願の請求項２に係る発明では、前記戸枠案内軌道が、単一の軌道で複数の戸板の摺動部材をガイドすることを特徴とする請求項１記載のスライドドアが提供される。
本願の請求項３に係る発明では、前記戸枠案内軌道と摺動する摺動部材が戸板の開口部側端に取り付けられたことを特徴とする請求項１または２に記載のスライドドアが提供される。
【００１０】
請求項３に係る発明では、戸枠案内軌道と摺動する摺動部材を戸板の開口部側端に設けるようにしたことによって、戸枠案内軌道と戸板の摺動部材が摺動する箇所を開口部の端部とすることで、開口幅が狭くなることを防止することが可能となる。
【発明の効果】
【００１１】
本発明により、ドアの開口幅を広く取ることができる工作機械のスライドドアを提供することができる。
【図面の簡単な説明】
【００１２】
【図１】工作機械全体の斜視図である。
【図２】本発明の実施形態における工作機械のスライドドアのガイド構造の例を示した図である。
【図３】本実施形態におけるライドドアのガイド構造の説明図である。
【図４】従来技術におけるスライドドアのガイド付近の模式図である。
【図５】従来技術におけるスライドドアのガイド構造の説明図である。
【図６】従来技術の工作機械のスライドドアのガイド構造の例を示した図である。
【００１３】
まず、従来技術の説明と、従来技術の課題について説明する。
図６は、従来技術の工作機械のスライドドアのガイド構造の例を示した斜視図であり、図６（ａ）はドアの開状態を示しており、図６（ｂ）はドアの閉状態を示している。図６に示されているように、スライドドアとして第１ドア１１０及び第２ドア１２０が取り付けられており、両ドアがスライド可能とされている。そして、図６（ａ）に示されているように、ドアの開状態のときには、第１ドア１１０及び第２ドア１２０が重なる位置となって、開口部が形成されて、図示しないワーク等の加工物を内部に出し入れすることが可能となり、図６（ｂ）に示されているように、ドアの閉状態のときには、第１ドア１１０及び第２ドアがほとんど重ならない状態となって、開口部が閉鎖される。
【００１４】
図４は、従来技術におけるスライドドアのガイド付近の模式図であり、図４（ａ）は正面図、図４（ｂ）は、図４（ａ）におけるＡ−Ａ断面図である。図６にも示したように、正面のスライドドア部は、第１ドア１１０及び第２ドア１２０から構成されている。また、図４（ｂ）に示されているように、工作機械の下部にはカバー１５０やサドル１６０が備えられており、カバー１５０は工作機械の前後方向（図４（ｂ）の断面図における左右方向）に移動可能である。図４（ｂ）に示されているように、第１ドア１１０及び第２ドア１２０のドアガイド部は、第１ドア１１０のガイド部の下に第２ドア１２０のガイド部が配置される構造とされている。ドアガイド部の詳細については後述する。
【００１５】
図５は、従来技術におけるスライドドアのガイド構造の説明図であり、図５（ａ）は正面図、図５（ｂ）は断面図、図５（ｃ）は、図５（ｂ）における下部のガイド部の拡大図である。図５（ｂ）及び図５（ｃ）に示されているように、スライドドア構造において正面から見て最も手前側（図５（ｂ）における左側）には戸枠１４０があり、戸枠１４０側から順に第１ドア１１０、第２ドア１２０が配置されている。
【００１６】
また、スライドドア構造の下部において、戸枠１４０は上下方向に並列してレール１１２ａ及びレール１１２ｂを備えている。これに対して、第１ドア１１０がドアローラ１３２ａを、第２ドア１２０がドアローラ１３２ｂを備えており、それぞれ、レール１１２ａがドアローラ１３２ａをガイドし、レール１１２ｂがドアローラ１３２ｂをガイドしている。
【００１７】
スライドドア構造の上部においても、下部と同様に戸枠１４０は上下方向に並列してレール１１４ａ及びレール１１４ｂを備えている。これに対して、第１ドア１１０がドアローラ１３４ａを、第２ドア１２０がドアローラ１３４ｂを備えており、それぞれ、レール１１４ａがドアローラ１３４ａをガイドし、レール１１４ｂがドアローラ１３４ｂをガイドしている。
【００１８】
このように構成された従来技術においては、図５（ｂ）及び図５（ｃ）に示されているように、スライドドア構造の下部においては、レール１１２ｂがレール１１２ａの下部に位置し、ドアローラ１３２ｂがドアローラ１３２ａの下部に位置するため、下方にドアが大きく張り出し、図４（ｂ）に示されているカバー１５０やサドル１６０等の機構部と干渉するおそれがあるため、ドアの開口幅を大きくすることができない場合がある。
【００１９】
本発明はこれらの課題を解決するためになされたものであり、以下本発明の実施形態を図面に基づいて説明する。
図２は、本実施形態における工作機械のスライドドアのガイド構造の例を示した斜視図であり、図２（ａ）はドアの開状態を示しており、図２（ｂ）はドアの閉状態を示している。本実施形態におけるスライドドアのガイド構造は、概ね図６に示された従来技術の工作機械のスライドドアのガイド構造と同様であり、スライドドア構造の上部及び下部におけるガイド構造のみが異なっている。ガイド構造の詳細については後述する。
【００２０】
図３は、本実施形態におけるスライドドアのガイド構造の説明図であり、図３（ａ）は正面図、図３（ｂ）は断面図、図３（ｃ）は図３（ａ）におけるＡ−Ａ断面図であって、図３（ａ）における右側方向から見た図である。また、図３（ｄ）は図３（ａ）におけるＢ−Ｂ断面図であって、図３（ｄ）における左側方向から見た図である。さらに、図３（ｅ）は、図３（ｃ）における下部のガイド部の拡大図、図３（ｆ）は、図３（ｄ）における下部のガイド部の拡大図である。
【００２１】
図３（ｂ）〜図３（ｆ）に示されているように、スライドドア構造において正面から見て最も手前側（図３（ｂ）及び図３（ｃ）における左側、図３（ｄ）における右側）には戸枠４０があり、戸枠４０側から順に第１ドア１０、第２ドア２０が配置されている。
【００２２】
また、図３（ｂ）、図３（ｃ）及び図３（ｅ）に示されているように、スライドドア構造の下部において、戸枠４０は単一の軌道でレール１２を備えており、第１ドア１０がレール２２を備えている。そして、第１ドア１０がドアローラ３２ａを備えており、第２ドア２０については、正面から見て第２ドア２０の左側に備えられたドアローラとしてドアローラ３２ｂを備えている。そして、戸枠４０のレール１２が第１ドア１０のドアローラ３２ａをガイドし、第１ドア１０のレール２２が第２ドア２０のドアローラ３２ｂをガイドしている。
【００２３】
これに対して、図３（ｄ）及び図３（ｆ）に示されているように、第２ドア２０における正面から見て第２ドア２０の右側については、ドアローラ３２ｃを備えている。そして、戸枠４０のレール１２が第２ドア２０のドアローラ３２ｃをガイドしている。ここで、ドアローラ３２ｃについては、ドアの開口部の側端となるように構成されている。
【００２４】
上部においても下部と同様に、戸枠４０がレール１４を備えており、第１ドア１０がレール２４を備えている。そして、第１ドア１０がドアローラ３４ａを備えており、第２ドア２０については、正面から見て第２ドア２０の左側に備えられたドアローラとしてドアローラ３４ｂを備えている。そして、戸枠４０のレール１４が第１ドア１０のドアローラ３４ａをガイドし、第１ドア１０のレール２４が第２ドア２０のドアローラ３４ｂをガイドしている。また、図３（ｄ）に示されているように、第２ドア２０における正面から見て第２ドア２０の右側については、ドアローラ３４ｃを備えている。そして、戸枠４０のレール１４が第２ドア２０のドアローラ３４ｃをガイドしている。ここで、ドアローラ３４ｃについては、ドアの開口部の側端となるように構成されている。
【００２５】
このような構成とすることにより、第１ドア１０及び第２ドアをガイドするためのガイド部材を構成するレールやドアローラの高さが同等の高さとなる。これにより、従来技術のようにレールやドアローラが上下方向に並列して存在することによる、上方や下方への大きな張り出しがなくなり、ガイド等を設置するために必要な上下方向のスペースを小さくすることができる。
【００２６】
このような構造としたとき、第２ドア２０の右側のドアローラ（３２ｃ、３４ｃ）は、戸枠４０のレール（１２，１４）にガイドされているため、レール（１２，１４）が第１ドア１０のスライド範囲と干渉することとなる。そのため、第１ドア１０と第２ドア２０とが完全に重なるまで第１ドア１０及び第２ドア２０を開くことができなくなって、開口幅が狭くなることも考えられる。しかしながら、ドアの端部や戸枠にクッションゴムや取手、制御装置等が取り付けられている場合には、それらの設置スペースを確保するために、あらかじめ開口幅を制限することとなるので、本実施形態のような構成としても、それによって開口幅が狭くなることはない。
【００２７】
なお、本実施形態においてはドアをガイドする部材として、レールとドアローラを用いた構造としたが、それらに代えてＬＭガイドやスライドパックなどの直動ガイドとそのブロックによって構成することも可能である。
また、本実施形態においては、ドアが２枚の例で説明したが、同様の構造を連続させることによって、３枚以上のドア構成とすることも可能である。その場合、例えば３枚のドアの場合で、戸枠に近い側から第１戸板、第２戸板、第３戸板とした場合には、第２戸板のドアローラの一方は戸枠に設けられたレールと摺動して、他方のドアローラは第１戸板に設けられたレールに摺動する。また、第３戸板のドアローラの一方は戸枠に設けられたレールと摺動して、他方のドアローラは第２戸板に設けられたレールに摺動するように構成する。
【符号の説明】
【００２８】
１０  第１ドア
１２  レール
１４  レール
２０  第２ドア
２２  レール
２４  レール
３２  ドアローラ
３４  ドアローラ
４０  戸枠
５０  カバー
１１０  第１ドア
１１２  レール
１１４  レール
１２０  第２ドア
１３２  ドアローラ
１３４  ドアローラ
１５０  カバー
１６０  サドル
【図３】
0005873121.tif 000002
【図５】
0005873121.tif 000003
【図１】
0005873121.tif 000004
【図２】
0005873121.tif 000005
【図４】
0005873121.tif 000006
【図６】
0005873121.tif 000007